(57)【要約】【課題】  従来技術では、近年のエアバッグ装置の小型化において、折り畳んだエアバッグ外周とケースのエアバッグ収納室内壁との隙間を最小限にする必要があり、厚板が折り畳んだエアバッグに干渉して厚板が予定通り変形を再現せず、インストルメントパネル衝撃を吸収しない恐れがある。【解決手段】  前面が開放口となっているケースと、ケース内に収納され、且つケースに連結されたエアバッグと、エアバッグ内にガスを供給してエアバッグを膨張させるガス発生器と、開放口を覆うリッドとを有するエアバッグ装置において、ケース１の底面にはガス発生器９を固設し、このガス発生器９の取付部から所定寸法離間したケース１の底面の車体の乗員側の車両の幅方向の辺に沿って真っ直ぐに弱部３を形成し、ケース１がインストルメントパネル４衝突時に、ケース１に形成されたフランジを介して立ち壁に衝撃が作用して弱部３を起点に変形するエアバッグ装置。【選択図】図２
2011011744.tif 000002
【特許請求の範囲】
【請求項１】
前面が開放口となっているケースと、該ケース内に収納され、且つ該ケースに連結されたエアバッグと、該エアバッグ内にガスを供給して該エアバッグを膨張させるガス発生器と、該開放口を覆うリッドとを有するエアバッグ装置において、前記ケースの底面にはガス発生器を固設し、このガス発生器の取付部から所定寸法離間したケースの底面の車体の乗員側の車両の幅方向の辺に沿って真っ直ぐに弱部を形成し、前記ケースがインストルメントパネル衝突時に、前記ケースに形成されたフランジを介して立ち壁に衝撃が作用して前記弱部を起点に変形することを特徴とするエアバッグ装置。
【発明の詳細な説明】
【技術分野】
【０００１】
本発明は、車両に装備して、衝突時等に膨張展開して乗員を保護するエアバッグ装置に関するものである。
【背景技術】
【０００２】
現在、助手席用エアバッグは乗員の衝突安全性を向上させる手段として、既に相当数の市販車に搭載されている。
ところで、自動車のインストルメントパネルは、乗員がぶつかってきたときに徐々に変形してぶつかり時のエネルギーを吸収する衝撃吸収機能を有する必要がある。
つまり、事故等によってエアバッグの展開が必要な時だけではなく、エアバッグの搭載されているインストルメントパネルに頭や手がぶつかってしまった場合、人に過大な衝撃が伝わらないように、エアバッグモジュール側を変形させて衝撃を吸収する機能が必要となる。
これに伴う従来技術としては、前面が開放口となっているケースと、該ケース内に収納され、且つ該ケースに連結されたエアバッグと、該エアバッグ内にガスを供給して該エアバッグを膨張させるガス発生器と、該ケースの側面に固着された厚板と、該開放口を覆うリッドとを有するエアバッグ装置において、該厚板の少なくとも後辺部がケースの側面に固着され、該厚板の後辺部とそれに固着されたケース側面部分とが外方に突出しているエアバッグ装置（例えば、特許文献１参照）が存在している。
【特許文献１】特開２００１−６３５０３号公報（特許請求の範囲の欄、発明の実施の形態の欄における段落｛００１７｝〜｛００３６｝及び図１〜図７を参照）
【発明の概要】
【発明が解決しようとする課題】
【０００３】
前記従来技術は、エアバッグの展開圧が作用したとき、ケースの開口の口開きを防止するとともに、エアバッグが非展開のときのインストルメントパネル衝撃の反力を低減するものである。
これは、エアバッグ展開圧が作用したとき、厚板による剛性向上により口開きが防止できる。また、エアバッグ非展開のときは厚板によりケースを変形させてエネルギーを吸収するものである。
前記公報には、図示されていないがエアバッグ展開時、ケースは厚板の下部屈曲付近を中心に回転するとともに、厚板の上端はエアバッグ収納室に進入しながらケースを変形させる（前記引用文献の発明の実施の形態の欄の段落｛００３１｝、図７を参照）。
しかしながら、近年求められているエアバッグ装置の小型化においては、折り畳んだエアバッグ外周とケースのエアバッグ収納室内壁との隙間を最小限にする必要があり、この方法を採用した場合、前記厚板が折り畳んだエアバッグに干渉して厚板が予定通り変形を再現せず、インストルメントパネル衝撃を吸収しない恐れがある。
【課題を解決するための手段】
【０００４】
上記課題を解決するための本発明の第１発明は、請求項１に記載された通りのエアバッグ装置であり、次のようなものである。
前面が開放口となっているケースと、該ケース内に収納され、且つ該ケースに連結されたエアバッグと、該エアバッグ内にガスを供給して該エアバッグを膨張させるガス発生器と、該開放口を覆うリッドとを有するエアバッグ装置において、前記ケースの底面にはガス発生器を固設し、このガス発生器の取付部から所定寸法離間したケースの底面の車体の乗員側の車両の幅方向の辺に沿って真っ直ぐに弱部を形成し、前記ケースがインストルメントパネル衝突時に、前記ケースに形成されたフランジを介して立ち壁に衝撃が作用して前記弱部を起点に変形する構成である。
【発明の効果】
【０００５】
本発明に係るエアバッグ装置は、上記説明のような構成であるので、以下に記載する効果を奏する。
（１）インストルメントパネル衝突時に、ケースの立ち壁が座屈することなく、底面の弱部を起点に変形するので、衝撃吸収の過程において、折り畳んだエアバッグに干渉することなく確実に衝撃を吸収でき弱部の設定条件が、ケースの底面にガス発生器が固設され、そのガス発生器の取付部から所定寸法離間した部分に設定されているので、衝撃吸収を省スペースで可能にしたものである。
（２）障害物（乗員の頭部）が衝突する作用方向は、乗員の腰を中心に回動するように衝突するので、弱部は車両の幅方向の辺に沿うように形成することで効率的に過大な反力の発生を防止できる。
（３）ケースをプレス成形する際に同時に成形できるので、製造費の上昇がない。
（４）弱部である略Ｕ字状部を塑性変形させてエネルギー吸収するので、反力特性曲線を滑らかにできる。
【図面の簡単な説明】
【０００６】
【図１】本発明のエアバッグ装置の一実施例を示す底面図である。
【図２】本発明のエアバッグ装置の基本的なエアバッグ装置を示す側断面図である。
【図３】本発明のエアバッグ装置のインストルメントパネル衝撃時の衝撃吸収構造を示す側断面図である。
【図４】本発明の実施例である弱部をＵ字加工にしたものを示す要部斜視図である。
【図５】他の実施例である弱部を薄肉加工にしたことを示す要部側断面図である。
【図６】従来の衝撃吸収構造を示す側断面図である。
【発明を実施するための最良の形態】
【０００７】
前面が開放口となっているケースと、該ケース内に収納され、且つ該ケースに連結されたエアバッグと、該エアバッグ内にガスを供給して該エアバッグを膨張させるガス発生器と、該開放口を覆うリッドとを有するエアバッグ装置において、前記ケースの底面にはガス発生器を固設し、このガス発生器の取付部から所定寸法離間したケースの底面の車体の乗員側の車両の幅方向の辺に沿って真っ直ぐに弱部を形成し、前記ケースがインストルメントパネル衝突時に、前記ケースに形成されたフランジを介して立ち壁に衝撃が作用して前記弱部を起点に変形するエアバッグ装置である。
【実施例】
【０００８】
以下、本発明の一実施例を添付図面で詳細に説明する。
図１は、本発明のエアバッグ装置の一実施例を示す底面図、図２は、本発明のエアバッグ装置の基本的なエアバッグ装置を示す側断面図、図３は、本発明のエアバッグ装置のインストルメントパネル衝撃時の衝撃吸収構造を示す側断面図、図４は、本発明の実施例である弱部をＵ字加工にしたものを示す要部斜視図、図５は、他の実施例である弱部を薄肉加工にしたことを示す要部側断面図、図６は、従来の衝撃吸収構造を示す側断面図である
【０００９】
先ず、図面に基づいて本発明の一実施例であるエアバッグ装置の特徴について説明する。
図１のように、エアバッグ装置のケース１の底面部片側（車体の乗員側）に、例えばＵ字加工７、薄肉加工８等の弱部を設ける。つまり、エアバッグ装置のケース１の片側だけに衝撃に弱い弱部３ができることになる。
図１からも理解できるように、本発明ではこの弱部３によって乗員の頭や腕などがインストルメントパネル４にぶっかった際、そのぶつかった頭や腕などに返ってくる衝撃を弱部３が変形する（図３参照）ことによって、吸収するものである。
これはケース１底面の弱部３が５（図３参照）のように変形することにより衝撃を吸収させるものである。
【００１０】
従来の方法でも本発明と同じようにエアバッグの衝撃吸収は行われるが、図６のようにエアバッグ６部が大きいものや硬い基布のものを小さい収納ケースに入れている場合、収納ケース側部が点線のように変形しようとするが変形しづらく、さらに変形するとこの変形がエアバッグ６を押さえつけることになり、インストルメントパネル衝撃時の衝撃吸収が充分にされない。
本発明では、従来技術では充分に機能しなかった、より小スペースに収納できるエアバッグ装置であっても確実にインストルメントパネルへの衝撃を吸収できるものである。
【００１１】
すなわち、具体的には図４、図５に示したように弱部をＵ字加工７で形成したり、薄肉加工８にしても弱部３が形成されることとなり、同様の効果がでることはいうまでもない。
【産業上の利用可能性】
【００１２】
車両内に組込まれ、衝突時等に膨張展開するエアバッグ装置において、助手席だけではなく、全ての座席、内壁面に搭載されたエアバッグでも利用することができる。
【符号の説明】
【００１３】
１・・・・ケース
３・・・・弱部
４・・・・インストルメントパネル
５・・・・ケース底面の変形
６・・・・エアバッグ
７・・・・Ｕ字加工
８・・・・薄肉加工
９・・・・ガス発生器
【図１】
2011011744.tif 000003
【図２】
2011011744.tif 000004
【図３】
2011011744.tif 000005
【図４】
2011011744.tif 000006
【図５】
2011011744.tif 000007
【図６】
2011011744.tif 000008